(57)【要約】【課題】  一種類のパイプ接続部材で多方向連結用に使用することができるパイプ接続用ブラケットを提供すること。【解決手段】  壁面等に取り付けられる支持体と、この支持体に固着乃至回転可能に取着される多方向に向かって開口する複数の凹部を形成したブロック状のパイプ接続部材と、該凹部に嵌合される接続リングと、接続リングが嵌合されない凹部の開口個所を隠す蓋体とから構成され、接続されるパイプの数と接続方向に対応する前記パイプ接続部材の凹部に接続リングを嵌合させ、残りの開口個所には蓋体を嵌着して使用することを特徴とする。【選択図】図３
2010163853.tif 000002
【特許請求の範囲】
【請求項１】
壁面等に取り付けられる支持体と、この支持体に固着乃至回転可能に取着される多方向に向かって開口する複数の凹部を形成したブロック状のパイプ接続部材と、該凹部に嵌合される接続リングと、該接続リングが嵌合されない凹部の開口個所を隠す蓋体とから構成され、接続されるパイプの数と接続方向に対応する前記パイプ接続部材の凹部に接続リングを嵌合させ、残りの開口個所には蓋体を嵌着して使用することを特徴とするパイプ接続用ブラケット。
【請求項２】
請求項１記載のパイプ接続部材を、ブロック状球体の周面の６個所を平面状に切裁してそれぞれの面が正６面体の一つの面となるように形成し、各面に連結リングが嵌合する凹部を形成し、その底部にネジ孔を形成したことを特徴とする請求項１記載のパイプ接続用ブラケット。
【請求項３】
請求項１記載のパイプ接続部材を、４面迄は直交型とし、１面だけは他の面とは偏倚させた角度の位置に凹部を形成したことを特徴とする請求項１記載のパイプ接続用ブラケット。
【請求項４】
請求項２記載の６面直交型のパイプ接続部材において、対面する凹部同士を貫通させ、長尺のパイプをその儘挿通することができるようにしたことを特徴とする請求項１記載のパイプ接続用ブラケット。
【発明の詳細な説明】
【技術分野】
【０００１】  この発明は、主として階段用、廊下用、介助用等の手摺に使用されるパイプ接続用ブラケットに関するものである。
【発明の開示】
【発明が解決しようとする課題】
【０００２】  従来のパイプ接続用ブラケットとして、支持体に対して固着乃至回転可能に装着されたパイプ接続部材に一体的に形成された接続リングにパイプの一方を挿通することによって接続していくものがあった。【０００３】  然しながら、従来のパイプ接続用ブラケットにあっては、パイプ接続部材と接続リングとは一体形成されたものであったため、接続されるパイプの数によって２方向連結用、３方向連結用というように個別に数種類のパイプ接続部材を用意する必要があり、製造工程が複雑になるだけでなく多数の数種類の製品を保管し、用途に応じて選択して出荷する必要があって在庫管理等の管理面において不経済であった。【０００４】  本発明は、上記従来技術の問題点を解決するために、一種類のパイプ接続部材で多方向連結用に使用することができるパイプ接続用ブラケットを提供するものである。
【課題を解決するための手段】
【０００５】  本発明に係るパイプ接続用ブラケットは、壁面等に取り付けられる支持体と、この支持体に固着乃至回転可能に取着される多方向に向かって開口する複数の凹部を形成したブロック状のパイプ接続部材と、該凹部に嵌合される接続リングと、接続リングが嵌合されない凹部の開口個所を隠す蓋体とから構成され、接続されるパイプの数と接続方向に対応する前記パイプ接続部材の凹部に接続リングを嵌合させ、残りの開口個所には蓋体を嵌着して使用することを特徴とするものである。
【発明の作用】
【０００６】  本発明では、接続されるパイプの数と接続方向に応じて複数あるパイプ接続部材の凹部を選択するだけで所望のパイプ連結が行える。
【発明を実施するための最良の実施形態】
【０００７】  以下、１例として６面直交型パイプ接続部材を使用した本発明のパイプ接続用ブラケットについて説明をする。
図１は、本発明ブラケットを構成する全部材の斜視図であって、
（ａ）は支持体の斜視図である。
（ｂ）はパイプ接続部材の斜視図である。
（ｃ）は接続リングの斜視図である。
（ｄ）はプラスチック製の蓋体の斜視図である。
（ｅ）はゴム製の蓋体の斜視図である。
図２は、図１における全部材の縦断側面図であって、
（ａ）は支持体の縦断側面図である。
（ｂ）はパイプ接続部材の縦断側面図である。
（ｃ）は接続リングの縦断側面図である。
（ｄ）はプラスチック製の蓋体の縦断側面図である。
（ｅ）はゴム製の蓋体の縦断側面図である。
図３は、パイプの２方向直線接続の場合の各部材の分解斜視図である。
図４は、図３の組立状態における縦断側面図である。
図５は、本発明ブラケットで水平状の手摺を施工した場合の概略説明図である。
図６は、本発明ブラケットで傾斜状の手摺を施工した場合の概略説明図である。
図７は、本発明ブラケットでＬ字型の手摺を施工した場合の概略説明図である。
【０００８】  図において、１は、壁面等に取り付けるための取付板１−１と後述するパイプ接続部材を受けるフランジ部１−２を有し、底板部分にネジ挿通孔を形成した有底円筒状の支柱１−３とから成る支持体であって、後述するパイプ接続部材をネジで固着乃至回転可能に取着するようになっている。
【０００９】  ２は、後述する連結リングを嵌着するためのパイプ接続部材であって、ブロック状球体の周面の６個所を平面状に切裁してそれぞれの面が正６面体の一つの面となるような６つの面つまり隣り合う面同士の角度がそれぞれ９０°となるような６面を形成し、各面に後述する連結リングの小径部が嵌合する凹部２−１を形成し、その底部にネジ孔２−２を形成したものである。
【００１０】  ３は、前記パイプ接続部材２の凹部２−１に嵌る小径部３−１ａと大径部３−１ｂを有する断面凸状の有底の連結リングであって、底部に形成された孔３−２を通してパイプ接続部材２のネジ孔２−２にネジにて締結固定して使用するものである。
【００１１】  ４は、パイプ接続部材２の使用しない凹部２−１の開口部を隠すための蓋体であって、プラスチック製の場合は前記パイプ接続部材２の原型である球体周面と同じ周面を有するフランジ部４−１に割溝を有する軸部４−２を一体形成したものであり、ゴム製の場合は割溝の代わりに軸部４−２にネジ孔２−２に係止する段部を形成したもので、プラスチック製とゴム製は用途によって選択して使用するものである。
【００１２】  次に、本発明のパイプ接続用ブラケットによる直線状のパイプ状手摺の施工方法を図面に基づいて具体的に説明する。
【００１３】  先ず、手摺施工の起点となる壁面に予めパイプ接続部材２を取着しておいた１番目の支持体１を取り付け、手摺が延びる方向に対応するパイプ接続部材２の凹部２−１に連結リング３を嵌合して孔３−１を通してパイプ接続部材２のネジ孔２−２にネジにて締結固定する。
【００１４】  次いで、適宜長さのパイプＰの一端を連結リング３の中空部に嵌合し、他端を壁面に取り付けていない２番目の支持体１に前記手段で取着されているパイプ接続部材２の連結リング３の中空部に嵌合し、この２番目の支持体１の取付板１−１を壁面Ｗに取り付けることによってパイプＰが保持され、１本のパイプによる手摺の施工が行われる。
【００１５】  上記の適宜長さとは手摺に施工基準以上の加重を掛けても支持体が壁面から脱落しないブラケット間の間隔のことをいうのであって、長尺の手摺を施工する場合は単体のパイプを複数本連結する必要がある。
【００１６】  つまり、図５のように病院等の廊下に使用される長尺で直線状の手摺を施工する場合は、上述した１本のパイプによる手摺の施工方法を連続して繰り返せば、所望長さの廊下用手摺の施工が行えるもので、施工が完了した後は各パイプ接続部材２の凹部２−１の開口部を隠す蓋体４の軸部４−２をネジ孔に嵌着することによってフランジ部４−１で被蓋しておけばよいものである。
【００１７】  尚、階段等で水平に対して傾斜している手摺を施工する場合は、支持体１に対してパイプ接続部材２を取着するときにその傾斜角度だけ回転させておけば図６のような傾斜した直線状の手摺の施工を行うことができるものである。
【００１８】  上記実施例では直線状の手摺について説明したが、図７のようにトイレ等で使用されるＬ字型の手摺を施工する場合は、パイプ接続部材２の水平方向の凹部２−１に直交する凹部２−１を選択して使用すれば簡単に施工することができ、十字条の手摺等の手摺に限らず格子状の構造物も簡単に製作することができるもので、支持体１を床面に取り付けるようにすれば固定式の載置台等も製作できるものである。
【００１９】  また、上記実施例ではパイプ接続部材２を、パイプを５方向まで接続できる６面直交型のものとしたが、図８、９のように４面迄は前述したような直交型とし、１面だけは他の面とは１３５°偏倚させた角度の位置に凹部２−１を形成したパイプ接続部材２−Ａを別に製作しておけば、前記６面直交型のブラケットと組み合わせることによって図１０のような手摺や複雑な形状の構造物を製作することができるものである。
【００２０】  更に、６面直交型のパイプ接続部材２において、対面する凹部２−１、２−１同士を貫通させたパイプ接続部材を別に製作しておけば、長尺のパイプをその儘挿通することができ、中間継手となるブラケットを製作することができるものである。
【発明の効果】
【００２１】    以上述べた如く、本発明に係るパイプ接続用ブラケットによれば、壁面または床面に取り付けられる支持体と、この支持体に固着乃至回転可能に装着される多方向に向かって開口する複数の凹部を形成したブロック状のパイプ接続部材と、該凹部に嵌合される接続リングと、接続リングが嵌合されない凹部の開口個所を隠す蓋体とから構成され、接続されるパイプの数と接続方向に対応する前記パイプ接続部材の凹部に接続リングを嵌合させ、残りの開口個所には蓋体を嵌着して使用するものであるから、接続されるパイプの数と接続方向に応じて複数あるパイプ接続部材の凹部を選択するだけで所望のパイプ連結が一種類のブラケットで行え、従来のブラケットのように接続されるパイプの数によって２方向連結用、３方向連結用というように個別に数種類のパイプ接続部材を用意する必要がなく、製造工程の簡略化が図れ、在庫管理等の管理面においても経済的なものである。
【００２２】  また、請求項２に係るパイプ接続用ブラケットによれば、請求項１記載のパイプ接続部材を、ブロック状球体の周面の６個所を平面状に切裁してそれぞれの面が正６面体の一つの面となるように形成し、各面に後述する連結リングが嵌合する小径部と大径部を有する断面凹状の凹部を形成し、その底部にネジ孔を形成したものであるから、パイプの接続部分が堅牢であり、また、直線状の手摺に限らずパイプ接続部材の水平方向の凹部に直交する凹部を選択して使用することによってＬ字型の手摺を簡単に施工することができ、手摺に限らず格子状の構造物も簡単に製作することができるもので、ブラケットの支持体を床面に取り付けるようにすれば固定式の載置台等も簡単に製作できるという効果がある。
【００２３】  また、請求項３に係るパイプ接続用ブラケットによれば、請求項１記載のパイプ接続部材を、４面迄は直交型とし、１面だけは他の面とは偏倚させた角度の位置に凹部を形成したものであるから、請求項２記載の６面直交型のブラケットと組み合わせることによって手摺や複雑な形状の構造物を自在に製作することができるという効果がある。
【００２４】  また、請求項４に係るパイプ接続用ブラケットによれば、６面直交型のパイプ接続部材２において、対面する凹部同士を貫通させてあるので、長尺のパイプをその儘挿通することができ、中間継手となるブラケットを製作することができるものである。
【００２５】  更に、パイプ接続部材に嵌着される接続リングにパイプの抜け止め手段を施せば、支持体の必要がない単独の継手部材として使用することができ、本発明のブラケットと組み合わせることによって物品収納ラック等の複雑な立体構造物も構築することができる等応用範囲の広いものである。
【図面の簡単な説明】
【００２６】
【図１】  本発明ブラケットを構成する全部材の斜視図であって、（ａ）は支持体の斜視図である。（ｂ）はパイプ接続部材の斜視図である。（ｃ）は接続リングの斜視図である。（ｄ）は蓋体の斜視図である。
【図２】  図１における全部材の断面側面図であって、（ａ）は支持体の縦断側面図である。（ｂ）はパイプ接続部材の縦断側面図である。（ｃ）は接続リングの縦断側面図である。（ｄ）は蓋体の縦断側面図である。（ｅ）はゴム製蓋体の縦断側面図である。
【図３】  パイプの２方向直線接続の場合の各部材の分解斜視図である。
【図４】  図３の組立状態における縦断側面図である。
【図５】  本発明ブラケットで水平状の手摺を施工した場合の概略説明図である。
【図６】  本発明ブラケットで傾斜状の手摺を施工した場合の概略説明図である。
【図７】  本発明ブラケットでＬ字型の手摺を施工した場合の概略説明図である。
【図８】  別の実施例のパイプ接続部材を使用した本発明ブラケットの横断平面図である。
【図９】  図８のＡ−Ａ線における縦断側面図である。
【図１０】  本発明ブラケットで変形の手摺を施工した場合の概略説明図である。
【符号の説明】
【００２７】１          支持体
２          パイプ接続部材
３          接続リング
４          蓋体
【図１】
2010163853.tif 000003
【図１】
2010163853.tif 000004
【図２】
2010163853.tif 000005
【図２】
2010163853.tif 000006
【図３】
2010163853.tif 000007
【図４】
2010163853.tif 000008
【図５】
2010163853.tif 000009
【図６】
2010163853.tif 000010
【図７】
2010163853.tif 000011
【図８】
2010163853.tif 000012
【図９】
2010163853.tif 000013
【図１０】
2010163853.tif 000014
【手続補正書】
【提出日】平成21年5月15日(2009.5.15)
【手続補正１】
【補正対象書類名】図面
【補正対象項目名】全図
【補正方法】変更
【補正の内容】
【図１】
2010163853.tif 000015
【図２】
2010163853.tif 000016
【図３】
2010163853.tif 000017
【図４】
2010163853.tif 000018
【図５】
2010163853.tif 000019
【図６】
2010163853.tif 000020
【図７】
2010163853.tif 000021
【図８】
2010163853.tif 000022
【図９】
2010163853.tif 000023
【図１０】
2010163853.tif 000024